(57)【特許請求の範囲】
【請求項１】
透明又半透明の合成樹脂製の表裏のシート部の右側縁及び上側縁は開放されて表裏のシート部の間に書類を挟み込むことができるようになっているクリアファイルにおいて、
１枚の矩形長尺シートがＺ状に折り畳まれることによって上記表裏のシート部と該シート部と実質的に同一の大きさでかつ同一の形状の合成樹脂製の第３のシート部とが構成され、上記表裏のシート部の下側縁が固着されるとともに、第３のシート部の上側縁を除く三側縁が表側シート部又は裏側シート部に固着されて袋状の収納スペース部が構成され、該収納スペースには表紙構成シートを差し込まれる一方、
上記第３のシート部と表側シート部又は裏側シート部との上側開放縁は両面粘着テープ、熱圧着又は超音波シールによって相互に封止されていることを特徴とするクリアファイル。
【請求項２】
透明又半透明の合成樹脂製の表裏のシート部の右側縁及び上側縁は開放されて表裏のシート部の間に書類を挟み込むことができるようになっているクリアファイルにおいて、
１枚の矩形長尺シートがＺ状に折り畳まれることによって上記表裏のシート部と該シート部と実質的に同一の大きさでかつ同一の形状の合成樹脂製の第３のシート部とが構成され、上記表裏のシート部の下側縁が固着されるとともに、第３のシート部の上側縁を除く三側縁が表側シート部又は裏側シート部に固着されて袋状の収納スペース部が構成され、該収納スペースには表紙構成シートが差し込まれる一方、
上記表側シート部又は裏側シート部の上側縁には封止舌片が幅方向の全幅に延びて一体的に形成され、該封止舌片が第３のシート部に折り返されて両面粘着テープ、熱圧着又は超音波シールによって相互に封止され又は封止舌片の係止溝への第３のシート部の係止片の係合によって仮止めされていることを特徴とするクリアファイル。
【請求項３】
上記表紙構成シートは装飾デザイン又は宣伝広告がカラー印刷され又は手書きされたシートである請求項１又は２記載のクリアファイル。
【発明の詳細な説明】
【技術分野】
【０００１】
本発明はクリアファイルに関し、特にシートに印刷を行うことなく表紙を構成できるようにしたファイルに関する。
【背景技術】
【０００２】
クリアファイルは四角形状の透明又は半透明の１枚の合成樹脂製シートを２つに折り畳み、その下側縁を固着し、右側縁及び上側縁を開放した構造を有し、書面などの資料を容易に保管することができる。
【０００３】
従来のクリアファイルには表裏のシート部のうちの一方にタグなどの見出しを形成したクリアファイルが知られている（特許文献１）。また、表裏のシート部の一方又は両方にポケットを設け、名刺やカードを保管できるようにしたクリアファイルも提案されている（特許文献２、特許文献３）。この種のクリアファイルでは表裏のシート部に装飾デザインや宣伝広告などを印刷することが多い。
【０００４】
【特許文献１】特開２００１−２７７７７３号公報
【特許文献２】実用新案登録第３１３３８５８号公報
【特許文献３】実用新案登録第３１２３３１２号公報
【発明の開示】
【発明が解決しようとする課題】
【０００５】
しかし、従来のクリアファイルでは合成樹脂製のシート部に装飾デザインや宣伝広告を直接印刷しているので、印刷用の版下を製作する必要があり、特にカラー印刷の場合には複数の版下を準備しなければならず、コスト高を招来していた。
【０００６】
本発明はかかる問題点に鑑み、コスト高を招来することなく、装飾デザインや宣伝広告を有する表示や裏表紙を形成できるようにしたクリアファイルを提供することを課題とする。
【課題を解決するための手段】
【０００７】
そこで、本発明に係るクリアファイルは、透明又半透明の合成樹脂製の表裏のシート部の右側縁及び上側縁は開放されて表裏のシート部の間に書類を挟み込むことができるようになっているクリアファイルにおいて、上記表側シート部又は裏側シート部の表面側又は裏面側には実質的に同一の大きさでかつ同一の形状の合成樹脂製の第３のシート部によって表紙構成シートを差し込み可能な袋状又は疑似袋状の収容スペース部が構成されていることを特徴とする。
【０００８】
本発明の特徴の１つはクリアファイルの表側シート部又は裏側シート部の表側又は裏側に第３のシート部によって袋状又は疑似袋状の収容スペース部を構成し、この収容スペース部に表紙構成シートを差し込んで表紙又は裏表紙を構成できるようにした点にある。
【０００９】
これにより、表紙構成シート、例えば用紙に装飾デザインや宣伝広告をカラー印刷や手書きし、この表紙構成シートを第３のシート部によって構成された収容スペース部に差し込むだけで表紙又は裏表紙を形成することができ、合成樹脂製シートに直接印刷する必要がないので、多種多様な版下を準備する必要がなく、コスト高を招来することがない。
【００１０】
ところで、クリアファイルに社名などの定型的な印刷を行う場合、少ない版下でコスト高を招来することなくクリアファイルに印刷をすることができる。したがって、表裏のシート部には社名などの定型的な印刷が施されていてもよい。
【００１１】
表裏のシート部と第３のシート部は１枚の合成樹脂製シートを折り畳んで構成するようにしてもよく、又１枚の合成樹脂製シートを折り畳んで構成された表裏のシート部に別の第３のシート部を重ねるようにしてもよい。
【００１２】
即ち、１枚の矩形長尺シートをＺ状に又は巻き込むように折り畳むことによって表裏のシート部と第３のシート部とを構成し、表裏のシート部の下側縁を固着するとともに、第３のシート部の上側縁を除く三側縁を表側シート部又は裏側シート部に固着することによって収容スペース部を構成することができる。
【００１３】
また、１枚の合成樹脂製シートと別の第３のシート部とを用いて製作する場合、表側シート部又は裏側シート部に第３のシート部を重ね、第３のシート部の上側縁を除く三側縁を表側シート部又は裏側シート部に固着して袋状又は疑似袋状の収納スペース部を構成することができる。
【００１４】
この場合、第３のシート部は表裏のシート部の表面又は裏面のいずれに重ねてもよく、同様の収容スペース部を構成することができる。
【００１５】
表紙構成シートにはプリンターによって印字印刷可能な合成樹脂製シートを用いることができるが、コスト高になる。そこで、プリンターによって印字印刷可能な用紙を用いるとコスト高を招来することなく、表紙構成シートを準備することができる。
【００１６】
この表紙構成シートには装飾デザインや宣伝広告をカラー印刷したものを用いることができるが、手書きされたものであってもよい。特に、幼児や児童が両親などの顔、名前、風景などを手書きした用紙を表紙構成シートとすると、幼児や児童の情操教育に役立つだけでなく、両親には本発明のクリアファイルを思い出の品物として長期にわたって愛用することが期待される。
【００１７】
また、上述のように、プリンターによる多種多様な印刷や多種多様な手書きが可能であるので、ユーザに対応した表紙構成シートを準備し、そのユーザだけのクリアファイルを製作することができ、クリアファイルの商品性を大幅に向上できるばかりでなく、本発明のクリアファイルを販売促進グッズに用いることによって顧客の注意を喚起して販売促進がアップすることが期待できる。
【００１８】
第３のシート部と表裏のシートとの上側縁は開放したまま、あるいは仮止めとし、表紙構成シートを交換可能としてもよいが、表紙構成シートを簡単に抜き取られないように封止するようにしてもよい。
【００１９】
即ち、第３のシート部と表側シート部又は裏側シート部との上側開放縁は相互に封止可能又は仮止め可能とすることができる。
【００２０】
また、表側シート部又は裏側シート部の上側縁には封止舌片を幅方向の全幅に延びて一体的に形成し、封止舌片を第３のシート部に折り返して封止可能又は仮止め可能とすることもできる。
【００２１】
上述の封止が接着剤や粘着剤によって行ってよいが、封止作業が煩わしいので、両面粘着テープ、熱圧着又は超音波シールなどによって行うのがよい。
【００２２】
また、仮止めは封止舌片の係止溝への第３のシード部の係止片の係合によって行うことができる。
【００２３】
また、収容スペース部は薄い袋状又は疑似袋状に構成したが、左右の両側及び下側にマチ部を形成すると、表紙構成シートを抜き出した後、他の書類の収納に利用できる。
【００２４】
即ち、表側シート部又は裏側シート部の左右の少なくとも一方の側縁と第３のシート部の左右の少なくとも一方の側縁との間、及び／又は表側シート部又は裏側シート部の下側縁と第３のシート部の下側縁との間にはマチ部を形成することができる。
【００２５】
この場合、表側シート部又は裏側シート部の上側縁には封止舌片を幅方向の全幅に延びて一体的に形成し、封止舌片を第３のシート部に折り返して封止可能とする一方、封止舌片をミシン目で切り離し可能に構成するのがよい。また、表側シート部又は裏側シート部の上側縁と第３のシート部の上側縁とを両面粘着テープによって封止可能となす一方、両面粘着テープを剥離させるように構成することもできる。
【発明を実施するための最良の形態】
【００２６】
以下、本発明を図面に示す具体例に基づいて詳細に説明する。図１及び図２は本発明に係るクリアファイルの好ましい実施形態を示す。図において、クリアファイル１０は各々四角形状、例えばＡ４型の大きさの四角形状の表裏のシート部１１、１２と第３のシート部１３とから構成されている。
【００２７】
また、表裏のシート部１１、１２は左側縁が連続されており、表裏のシート部１１、１２の下側縁はヒートシールや超音波シール、加熱圧着などによって相互に固着され（両面粘着テープで固着してもよい）、第３のシート部１３の左右の側縁及び下側縁は表側シート部１１の左右の側縁及び下側縁にヒートシールや超音波シール、加熱圧着などによって固着され（両面粘着テープで固着してもよい）、第３のシート部１３と表側シート部１１とによって袋状の収容スペース部１４が構成されている。
【００２８】
この収容スペース部１４には用紙（表紙構成シート）１６が差し込まれ、用紙１６にはプリンターによって装飾デザインや宣伝広告がカラー印刷され、又表側シート部１１の上側縁には封止舌片１５が一体に形成され、封止舌片１５は第３のシート部１３側に折り返され、両面粘着テープ１７によって貼り付けられており、こうして版下を用いた印刷を行うことなく、表紙が構成されている。
【００２９】
本例のクリアファイル１０を製作する場合、例えば大きな合成樹脂製の素材シートを打ち抜くか又は切断することにより、図２の(a)に示されるような合成樹脂製のシートを用意する。この合成樹脂製シートはクリアファイル１０の表裏のシート部１１、１２、第３のシート部１３及び封止舌片１５を連続させた平面形状を有している。
【００３０】
この合成樹脂製のシートを図２の(b)に示されるようにＺ状に折り畳み、第３のシート部１３、表裏のシート部１１、１２の左側縁及び下側縁をヒートシールなどによって固着する。すると、図２の(c)に示されるように、表裏のシート部１１、１２の左側縁が連続し、下側縁が相互に固着され、第３のシート部１３の左右の側縁及び下側縁が表側シート部１１に固着されて袋状の収容スペース部１４が形成される。
【００３１】
次に、用紙１６に装飾デザインや宣伝広告をプリンターでカラー印刷し、この用紙１６を収容スペース部１４に差し込み、封止舌片１５を折り返して両面粘着テープ１７で貼り付けると、収容スペース部１４の開口を封止でき、表紙を構成することができる。
【００３２】
図３は第１の参考例を示し、図において図１及び図２と同一符号は同一又は相当部分を示す。本例では図３の(a)に示される合成樹脂製のシートを図３の(b)に示されるように巻き込むように折り畳み、第３のシート部１３、表裏のシート部１１、１２の左側縁及び下側縁をヒートシールなどによって固着し、表裏のシート部１１、１２の左側縁を固着し、下側縁を相互に固着し、又第３のシート部１３の左側縁及び下側縁を表側シート部１１に固着し、第３のシート部１３及び表側シート部１１の右側縁を相互に連続させており、このように合成樹脂製シートを巻き込むように折り畳むようにしてもよい。
【００３３】
上述のように合成樹脂製のシートを巻き込むように折り畳んだ場合、第３のシート部１３と表側シート部１１の左側縁との間は開放しておいても袋と同様の作用を奏する疑似袋状となり、差し込んだ用紙１６が抜け出ない。そこで、折り畳み方式を採用する場合には表裏のシート部１１、１２及び第３のシート部１３の下側縁のみをヒートシールなどによって固着するだけでも、同様の機能を奏するクリアファイルを製作することができる。
【００３４】
図４は第２の実施形態を示し、図において図１ないし図３と同一符号は同一又は相当部分を示す。本例では第３のシート部１３を表側シート部１１ではなく、裏側シート部１２に重ねて収容スペース部１４を構成し、収容スペース部１４内に用紙１６'を差し込み、又裏側シート部１２に封止舌片１５を形成し、封止舌片１５を折り返して収容スペース部１４を封止し、裏表紙を構成している。このように、表紙ではなく、裏表紙を形成するようにしてもよい。
【００３５】
図５及び図６は第３の実施形態を示し、図において図１ないし図４と同一符号は同一又は相当部分を示す。本例では表側シート部１１に封止舌片１５を形成せず、表側シート部１１と第３のシート部１３の上側縁の間を両面粘着テープ１７によって封止するようにしている。このように、表側シート部１１と第３のシート部１３の上側縁の間を直接固着して封止するようにしてもよい。
【００３６】
図７は第２の参考例を示し、図において図１ないし図６と同一符号は同一又は相当部分を示す。本例では第３のシート部１３を表裏のシート部１１、１２とは別シートとし、表側シート部１１の表面に用紙１６を重ね、第３のシート部１３を重ね、両者の間の空気を抜きながら第３のシート部１３の四側縁を表側シート部１１にヒートシールによって固着するようにしている。
【００３７】
この場合、第３のシート部１３の上側縁を除く三側縁を表側シート部１１の表面にヒートシールによって固着するようにしてもよく、又第３のシート部１３の四側縁又は上側縁を除く三側縁を表側シート部１１の裏面にヒートシールによって固着するようにしてもよく、さらには第３のシート部１３の四側縁又は上側縁を除く三側縁を裏側シート部１１の表面又は裏面にヒートシールによって固着するようにしてもよい。
【００３８】
上述のように別シートの第３のシート部１３を表裏のシート部１１、１２に貼り付ける場合、表裏のシート部１１、１２として既存のクリアファイルを利用して本例のクリアファイルを製造することもできる。
【００３９】
図８は第４の実施形態を示し、図において図１ないし図７と同一符号は同一又は相当部分を示す。本例では封止舌片１５に係止溝１８を形成し、第３のシート部１３に係止片１９を切り起こし形成し、係止片１９を係止溝１８に差し込んで仮止めするようにしている。このように、両面粘着テープ１７による封止に代え、係止溝と係止片とによる仮止めを行うようにしてもよい。
【００４０】
図９及び図１０は第３の参考例を示し、図において図１ないし図８と同一符号は同一又は相当部分を示す。本例では裏側シート部１２の左右両側縁と第３のシート部１３の左右両側縁の間及び裏側シート部１２の下側縁と第３のシート部１３の下側縁の間にはマチ部１２Ａが形成されている。
【００４１】
また、封止舌片１５は裏側シート部１２の上端縁に連続して形成され、封止舌片１５は折り返され、両面粘着テープ１７によって第３のシート部１３に粘着され、又封止舌片１５には相互に平行な２本のミシン目１８が入れられ、ミシン目１８で封止舌片１５を封止部分１５Ａから切り離し可能となっている。
【００４２】
本例では図９に示されるようにマチ部１２Ａによって厚みのある収納スペース部１４を形成することができ、封止舌片１５を折り返して両面粘着テープ１７によって第３のシート部１３に貼り付けることができる。
【００４３】
また、ユーザに手渡された後、ミシン目１８を切り取って封止舌片１５を封止部分１５Ａから切り離すと、表紙の構成に使用した収納スペース部１４を多数の書類の収納に利用することができる。
【００４４】
なお、上記の例では両面粘着テープ１７によって第３のシート部１３と表側又は裏側シート図１１、１２の上側縁を封止するようにしたが、ヒートシール、加熱圧着あるいは超音波シールによって固着するようにしてもよい。
【００４５】
また、プリンターによってカラー印刷した用紙１６に代え、デザインなどを手書きした用紙やシートを用いることもできる。
【００４６】
さらに、第７の実施例では左右両側縁及び下側縁にマチ部を設けたが、いずれか一箇所にマチ部を設けるようにしても同様の作用効果を奏する。さらに、封止舌片に代え、両面粘着テープによって裏側シート部１２の上端縁と第３のシート部１３の上端縁の間を粘着させ、必要に応じて剥離するようにしてもよい。
【図面の簡単な説明】
【００４７】
【図１】本発明に係るクリアファイルの好ましい実施形態を示す斜視図である。
【図２】上記実施形成における製造方法を模式的に示す図である。
【図３】第１の参考例を示す図である。
【図４】第２の実施形態を示す図である。
【図５】第３の実施形態を示す図である。
【図６】上記実施形成における製造方法を模式的に示す図である。
【図７】第２の参考例を示す図である。
【図８】第４の実施形態を示す図である。
【図９】第３の参考例を示す図である。
【図１０】上記参考例において封止舌片を切り離した状態を示す図である。
【符号の説明】
【００４８】
１０    クリアファイル
１１    表側シート部
１２    裏側シート部
１３    第３のシート部
１４    袋状部分
１５    封止舌片
１６    用紙（表紙構成シート）
１７    両面粘着テープ
１８    ミシン目  
【図１】
0005146961.tif 000002
【図２】
0005146961.tif 000003
【図３】
0005146961.tif 000004
【図４】
0005146961.tif 000005
【図５】
0005146961.tif 000006
【図６】
0005146961.tif 000007
【図７】
0005146961.tif 000008
【図８】
0005146961.tif 000009
【図９】
0005146961.tif 000010
【図１０】
0005146961.tif 000011